(57)【要約】  ＲＦＩＤ識別機能に基づく洗濯機の制御方法およびＲＦＩＤ識別機能付きの洗濯機。制御方法において、洗濯物のＲＦＩＤタグにおけるＩＤ番号を読み取って各洗濯物の関連情報を取得し、各洗濯物の標識情報を表示して削除選択情報および確認情報を受信することができ、削除選択情報を受信すると、現在の洗濯物集合から対応する洗濯物を削除し、確認情報を受信すると、現在の洗濯物集合における各洗濯物の関連情報を最終データとする。【選択図】図１
2019519286.tif 000002
【特許請求の範囲】
【請求項１】
洗濯物のＲＦＩＤタグにおけるＩＤ番号を読み取り、各洗濯物の該洗濯物を標識する標識情報が含まれる関連情報を取得し、現在の洗濯物の関連情報集合を作り上げる読み取り工程と、
現在の洗濯物の関連情報集合における各洗濯物の標識情報を表示するフィードバック工程と、
削除選択情報を受信すると、現在の洗濯物の関連情報集合から対応する洗濯物の関連情報を削除する修正工程と、
確認情報を受信すると、現在の洗濯物の関連情報集合における各洗濯物の関連情報を、洗濯パラメータを決定するための最終データとする確認工程と、
を含む、ＲＦＩＤ識別機能に基づく洗濯機の制御方法。
【請求項２】
前記関連情報は、少なくとも衣類画像情報、衣類名称情報、および衣類ブランド情報のうちの少なくとも１つを含み、前記衣類画像情報、前記衣類名称情報、および前記衣類ブランド情報のうちの少なくとも１つが前記標識情報とされる、請求項１に記載の制御方法。
【請求項３】
前記関連情報は、衣類カテゴリ情報、衣類重量情報、衣類材質情報、衣類カラー情報のうちの少なくとも１つを更に含む、請求項２に記載の制御方法。
【請求項４】
前記現在の洗濯物集合における各洗濯物の標識情報を表示することは、
洗濯機の表示パネルにより各洗濯物の標識情報を表示すること、または
音声放送により各洗濯物の標識情報を表示することを含む、請求項１に記載の制御方法。
【請求項５】
洗濯機の表示パネルにおける削除ボタンが押されるまたは予定の接触ジェスチャを受信すると、前記削除選択情報を送信し、または
予定の音声命令を受信すると、前記削除選択情報を送信する、請求項１に記載の制御方法。
【請求項６】
前記修正工程において、削除された洗濯物をリサイクルビンに置き、復元情報を受信すると、削除された洗濯物を洗濯物集合に復元する、請求項１に記載の制御方法。
【請求項７】
フィードバック工程において、標識情報を表示する前に、または標識情報を表示すると同時に、現在の洗濯物集合における洗濯物の数を表示する、請求項１に記載の制御方法。
【請求項８】
通信接続されたＲＦＩＤ識別システム及び処理モジュールを備え、
表示モジュールと、処理モジュールに通信接続される情報受信端とを更に備え、処理モジュールは、表示モジュールと、衣類のＩＤ番号および対応する関連情報が予め記憶されたデータベースとに通信接続され、関連情報に対応の衣類を標識する標識情報が含まれるＲＦＩＤ識別機能付きの洗濯機であって、
前記ＲＦＩＤ識別システムは、洗濯物のＲＦＩＤタグにおけるＩＤ番号を読み取り、前記処理モジュールにより前記洗濯物のＩＤ番号をデータベースに伝送するように構成され、前記処理モジュールは、前記関連情報を受信し、現在の洗濯物集合における各洗濯物の標識情報を表示するように前記表示モジュールを制御し、前記情報受信端により削除選択情報を受信すると、現在の洗濯物集合から前記削除選択情報に対応する洗濯物を削除し、前記情報受信端により確認情報を受信すると、現在の洗濯物集合における各洗濯物の関連情報を、洗濯パラメータを決定するための最終データとするように構成される、ＲＦＩＤ識別機能付きの洗濯機。
【請求項９】
前記データベースは、前記洗濯物のＩＤ番号を受信して記憶された衣類のＩＤ番号とマッチングし、前記洗濯物のＩＤ番号に対応する衣類の関連情報を捜し当て、該関連情報を前記処理モジュールに伝送するように構成される、請求項８に記載の洗濯機。
【請求項１０】
前記ＲＦＩＤ識別システムは、通信接続されたＲＦＩＤアンテナ及びＲＦＩＤ読取装置を備え、前記ＲＦＩＤアンテナは、洗濯物のＲＦＩＤタグ信号を収集し、該ＲＦＩＤタグ信号を前記ＲＦＩＤ読取装置に伝送するように構成され、前記ＲＦＩＤ読取装置は、前記ＲＦＩＤタグ信号に基づいてＲＦＩＤタグにおけるＩＤ番号を読み取り、該ＩＤ番号を洗濯機の制御ボードに設置される前記処理モジュールに伝送するように構成され、
前記洗濯機はドラム式洗濯機であり、前記ＲＦＩＤアンテナが洗濯機のドアパッキンの下に設置され、且つ、前記ＲＦＩＤアンテナは前記洗濯機のドアパッキンに向かう方向に指向され、前記ＲＦＩＤ読取装置が洗濯機の制御ボードに集積され、または、前記ＲＦＩＤ読取装置が前記洗濯機の制御ボードと別個に設置され、または
前記洗濯機はパルセータ洗濯機であり、前記ＲＦＩＤアンテナが洗濯機の制御パネルにおける洗濯機の表示パネルの下に設置され、且つ、前記ＲＦＩＤアンテナは洗濯槽内に向かって傾斜し、前記ＲＦＩＤ読取装置が洗濯機の制御ボードに集積され、または、前記ＲＦＩＤ読取装置が前記洗濯機の制御ボードと別個に設置される、請求項８に記載の洗濯機。
【請求項１１】
前記データベースが前記洗濯機の制御ボードに設置され、または
前記データベースがサーバまたはクラウドプラットフォームに設置される、請求項８に記載の洗濯機。
【請求項１２】
請求項１から７のいずれか１項に記載の方法を実行するためのコンピュータ実行可能命令が記憶される、コンピュータ可読記憶媒体。
【発明の詳細な説明】
【技術分野】
【０００１】
本開示は、洗濯機の技術分野に関し、例えば、ＲＦＩＤ識別機能に基づく洗濯機の制御方法およびＲＦＩＤ識別機能付きの洗濯機に関する。
【背景技術】
【０００２】
関連技術において、洗濯機の衣類材質の識別方式は、主に画像識別と無線周波数識別（ＲＦＩＤ：Ｒａｄｉｏ  Ｆｒｅｑｕｅｎｃｙ  Ｉｄｅｎｔｉｆｉｃａｔｉｏｎ）を含み、そのうち、画像識別は、例えばデニム衣類、コート、スーツ等、衣類のカテゴリのみを識別することができ、衣類の材質を正確に識別することができず、画像識別の洗濯機への応用価値は大幅に低下する。一方、ＲＦＩＤ識別技術は、一意の識別コードを有するＲＦＩＤタグを衣類に取り付けることができ、タグのＩＤ番号は衣類情報（洗濯パラメータに関わる関連情報を含む）と１対１対応し、洗濯機として、身分識別（ＩＤ：Ｉｄｅｎｔｉｔｙ）番号を識別することができれば、衣類情報を正確に取得することができるため、このような方式は衣類の材質を識別するのに有効である。
【０００３】
関連技術における洗濯機のＲＦＩＤ関連技術は、主に衣類のＲＦＩＤタグを識別するものであり、洗濯機のユーザーが衣類を投入する時に、洗濯機に読取り誤りが発生することを考慮していないため、洗濯機が読み取った衣類の情報は不正確になり、洗濯機の洗濯パラメータの正確性が低下し、洗濯物の洗濯効果に影響を及ぼす。
【発明の概要】
【発明が解決しようとする課題】
【０００４】
本開示は、洗濯機の洗濯パラメータの正確性を向上させることができる、ＲＦＩＤ識別機能に基づく洗濯機の制御方法およびＲＦＩＤ識別機能付きの洗濯機を提供する。
【課題を解決するための手段】
【０００５】
本開示は、以下の技術案を採用する。
【０００６】
本開示の１つの態様では、洗濯物のＲＦＩＤタグにおけるＩＤ番号を読み取り、各洗濯物の該洗濯物を標識する標識情報が含まれる関連情報を取得し、現在の洗濯物の関連情報集合を作り上げる読み取り工程と、現在の洗濯物の関連情報集合における各洗濯物の標識情報を表示するフィードバック工程と、削除選択情報を受信すると、現在の洗濯物の関連情報集合から対応する洗濯物の関連情報を削除する修正工程と、確認情報を受信すると、現在の洗濯物の関連情報集合における各洗濯物の関連情報を、洗濯パラメータを決定するための最終データとする確認工程と、を含むＲＦＩＤ識別機能に基づく洗濯機の制御方法を提供する。
【０００７】
オプションとして、関連情報は、少なくとも衣類画像情報、衣類名称情報、および衣類ブランド情報のうちの少なくとも１つを含み、衣類画像情報、衣類名称情報、および衣類ブランド情報のうちの少なくとも１つが標識情報とされる。
【０００８】
オプションとして、関連情報は、衣類カテゴリ情報、衣類重量情報、衣類材質情報、衣類カラー情報のうちの少なくとも１つを更に含む。
【０００９】
オプションとして、前記現在の洗濯物集合における各洗濯物の標識情報を表示することは、洗濯機の表示パネルにより各洗濯物の標識情報を表示すること、または、音声放送により各洗濯物の標識情報を表示することを含む。
【００１０】
オプションとして、洗濯機の表示パネルにおける削除ボタンが押されるまたは予定の接触ジェスチャを受信すると、削除選択情報を送信し、または、予定の音声命令を受信すると、削除選択情報を送信する。
【００１１】
オプションとして、修正工程において、削除された洗濯物をリサイクルビンに置き、復元情報を受信すると、削除された洗濯物を洗濯物集合に復元する。
【００１２】
オプションとして、フィードバック工程において、標識情報を表示する前に、または標識情報を表示すると同時に、現在の洗濯物集合における洗濯物の数を表示する。
【００１３】
本開示の別の態様では、通信接続されたＲＦＩＤ識別システム及び処理モジュールを備え、表示モジュールと、処理モジュールに通信接続される情報受信端とを更に備え、処理モジュールは、表示モジュールと、衣類のＩＤ番号および対応する関連情報が予め記憶されたデータベースとに通信接続され、関連情報に対応の衣類を標識する標識情報が含まれるＲＦＩＤ識別機能付きの洗濯機であって、ＲＦＩＤ識別システムは、洗濯物のＲＦＩＤタグにおけるＩＤ番号を読み取り、処理モジュールにより洗濯物のＩＤ番号をデータベースに伝送するように構成され、処理モジュールは、関連情報を受信し、現在の洗濯物集合における各洗濯物の標識情報を表示するように表示モジュールを制御し、情報受信端により削除選択情報を受信すると、現在の洗濯物集合から削除選択情報に対応する洗濯物を削除し、情報受信端により確認情報を受信すると、現在の洗濯物集合における各洗濯物の関連情報を、洗濯パラメータを決定するための最終データとするように構成されるＲＦＩＤ識別機能付きの洗濯機を提供する。
【００１４】
オプションとして、データベースは、洗濯物のＩＤ番号を受信して記憶された衣類のＩＤ番号とマッチングし、洗濯物のＩＤ番号に対応する衣類の関連情報を捜し当て、該関連情報を処理モジュールに伝送する。
【００１５】
オプションとして、ＲＦＩＤ識別システムは、通信接続されたＲＦＩＤアンテナ及びＲＦＩＤ読取装置を備え、ＲＦＩＤアンテナは、洗濯物のＲＦＩＤタグ信号を収集し、該ＲＦＩＤタグ信号をＲＦＩＤ読取装置に伝送するように構成され、ＲＦＩＤ読取装置は、ＲＦＩＤタグ信号に基づいてＲＦＩＤタグにおけるＩＤ番号を読み取り、該ＩＤ番号を洗濯機の制御ボードに設置される処理モジュールに伝送するように構成され、洗濯機はドラム式洗濯機であり、ＲＦＩＤアンテナが洗濯機のドアパッキンの下に設置され、且つ、ＲＦＩＤアンテナが洗濯機のドアパッキンに向かう方向に指向され、ＲＦＩＤ読取装置が洗濯機の制御ボードに集積され、または、ＲＦＩＤ読取装置が洗濯機の制御ボードと別個に設置され、または、洗濯機はパルセータ洗濯機であり、ＲＦＩＤアンテナが洗濯機の制御パネルにおける洗濯機の表示パネルの下に設置され、且つ、ＲＦＩＤアンテナが洗濯槽内に向かって傾斜し、ＲＦＩＤ読取装置が洗濯機の制御ボードに集積され、または、ＲＦＩＤ読取装置が洗濯機の制御ボードと別個に設置される。
【００１６】
オプションとして、データベースが洗濯機の制御ボードに設置され、または、データベースがサーバまたはクラウドプラットフォームに設置される。
【００１７】
本開示のＲＦＩＤ識別機能に基づく洗濯機の制御方法は、読み取り工程、フィードバック工程、修正工程、および確認工程を含む。読み取り工程において、洗濯物のＲＦＩＤタグにおけるＩＤ番号を読み取り、現在の洗濯物集合における各洗濯物の関連情報を取得し、関連情報に該洗濯物を標識する標識情報が含まれる。フィードバック工程において、現在の洗濯物集合における各洗濯物の標識情報を表示し、削除選択情報および確認情報を受信することができる。修正工程において、削除選択情報を受信すると、現在の洗濯物集合から対応する洗濯物を削除する。確認工程において、確認情報を受信すると、現在の洗濯物集合における各洗濯物の関連情報を、洗濯パラメータを決定するための最終データとする。これにより、本制御方法は、洗濯物を識別した後、現在の洗濯物集合における衣類をユーザーに表示させ、ユーザーに誤識別された衣類を削除するチャンスを提供する。洗濯機内に投入されていない衣類（例えば、ユーザーが着ている衣類または洗濯機の周囲に積まれた衣類）を洗濯機内の衣類として識別した場合、ユーザーは、現在の洗濯物集合から誤識別された衣類を削除することができる。このように、ユーザー自らによる選択および確認の方式により、洗濯物集合を修正し、洗濯機の洗濯パラメータの正確性を更に向上させる。
【００１８】
本開示のＲＦＩＤ識別機能付きの洗濯機は、通信接続されたＲＦＩＤ識別システム及び処理モジュールを備え、表示モジュール、削除情報受信端、および確認情報受信端を更に備え、処理モジュールは、表示モジュールと、衣類のＩＤ番号および対応する関連情報が予め記憶されたデータベースとに通信接続され、関連情報に対応の衣類を標識する標識情報が含まれ、削除情報受信端と確認情報受信端と処理モジュールとは通信接続される。ここで、ＲＦＩＤ識別システムは洗濯物のＲＦＩＤタグにおけるＩＤ番号を読み取り、処理モジュールにより洗濯物のＩＤ番号をデータベースに伝送する。データベースは、洗濯物のＩＤ番号を受信して記憶された衣類のＩＤ番号とマッチングし、洗濯物のＩＤ番号に対応する衣類の関連情報を捜し当て、該関連情報を処理モジュールに伝送する。処理モジュールは、関連情報を受信し、現在の洗濯物集合における各洗濯物の標識情報を表示するように表示モジュールを制御し、処理モジュールは、削除情報受信端により削除選択情報を受信すると、現在の洗濯物集合から削除選択情報に対応する洗濯物を削除し、処理モジュールは、確認情報受信端により確認情報を受信すると、現在の洗濯物集合における各洗濯物の関連情報を最終データとする。これにより、本洗濯機は、洗濯物を識別した後、現在の洗濯物集合における衣類をユーザーに表示させ、ユーザーに誤識別された衣類を削除するチャンスを提供する。洗濯機内に投入されていない衣類（例えば、ユーザーが着ている衣類または洗濯機の周囲に積まれた衣類）を洗濯機内の衣類として識別した場合、ユーザーは、現在の洗濯物集合から誤識別された衣類を削除することができる。このように、ユーザー自らによる選択および確認の方式により、洗濯機の洗濯パラメータの正確性を更に向上させる。
【００１９】
本実施例は、上記方法を実行するためのコンピュータ実行可能命令が記憶されるコンピュータ可読記憶媒体を更に提供する。
【００２０】
本実施例は、非一時的コンピュータ可読記憶媒体に記憶されるコンピュータプログラムを含むコンピュータプログラム製品を更に提供し、前記コンピュータプログラムはプログラム命令を含み、前記プログラム命令がコンピュータに実行されると、前記コンピュータに上記いずれかの方法を実行させる。
【図面の簡単な説明】
【００２１】
【図１】実施例１に係るＲＦＩＤ識別機能に基づく洗濯機の制御方法のフローの模式図である。
【図２】図１の洗濯機の制御方法において衣類を識別するフローチャートである。
【図３】実施例２に係るＲＦＩＤ識別機能付きの洗濯機のモジュールの構造模式図である。
【図４】実施例２に係るＲＦＩＤ識別機能付きの洗濯機の構造模式図である。
【図５】実施例３に係るＲＦＩＤ識別機能付きの洗濯機の構造模式図である。
【発明を実施するための形態】
【００２２】
以下、図面を参照しながら具体的な実施形態を用いて本開示の技術案を更に説明する。衝突しない限り、以下の実施例および実施例における特徴は、互いに任意に組み合わせることができる。出願人は、関連技術においてＲＦＩＤ関連技術を用いた洗濯機が主に衣類のＲＦＩＤタグを識別し、洗濯機のユーザーが衣類を投入する時に、洗濯機に読取り誤りが発生すること（すなわち、洗濯機内に投入していない衣類、例えば、ユーザーが着ている衣類または洗濯機の周囲に積まれた衣類を洗濯機内の衣類として識別する）を考慮しない、洗濯機が読み取った衣類の情報は不正確になり、洗濯機の洗濯パラメータの正確性が低下し、洗衣類の洗濯効果に影響を及ぼすことを発見した。
【００２３】
実施例１
本実施例において、ＲＦＩＤ識別機能に基づく洗濯機の制御方法は、
洗濯物のＲＦＩＤタグにおけるＩＤ番号を読み取り、現在の洗濯物集合における各洗濯物の関連情報を取得し、関連情報に該洗濯物を標識する標識情報が含まれる読み取り工程と、
現在の洗濯物集合における各洗濯物の標識情報を表示し、削除選択情報および確認情報を受信することができ、削除選択情報は、ユーザーがある衣類を削除する必要のある時に送信される情報であり、該削除選択情報に削除しようとする対応の衣類が含まれ、確認情報は、ユーザーが現在の洗濯物集合における衣類が正確であると確認する時に送信される情報であるフィードバック工程と、
削除選択情報を受信すると、現在の洗濯物集合から対応する洗濯物を削除する修正工程と、
確認情報を受信すると、現在の洗濯物集合における各洗濯物の関連情報を、洗濯パラメータを決定するための最終データとする確認工程と、
を含む。
【００２４】
これにより、本制御方法は、洗濯物を識別した後、現在の洗濯物集合における衣類をユーザーに表示させ、ユーザーに誤識別された衣類を削除するチャンスを提供する。洗濯機内に投入されていない衣類（例えば、ユーザーが着ている衣類または洗濯機の周囲に積まれた衣類）を洗濯機内の衣類として識別した場合、ユーザーは、現在の洗濯物集合から誤識別された衣類を削除することができる。このように、ユーザー自らによる選択および確認の方式により、洗濯機の洗濯パラメータの正確性を更に向上させる。
【００２５】
図１を参照し、衣類にＲＦＩＤタグが取り付けられ、ＲＦＩＤタグは耐高温性・耐食性を有し、洗濯可能であり、該ＲＦＩＤタグにＩＤ番号が付けられる。ＲＦＩＤタグは、衣類に縫い付けられた固有タグであってもよく、洗濯前にユーザーが衣類に取り付けたタグであってもよい。データベースに、衣類のＩＤ番号および該ＩＤ番号に対応する関連情報が予め記憶され、関連情報に該衣類を標識する標識情報が含まれる。
【００２６】
ここで、衣類画像情報、衣類名称情報、および衣類ブランド情報のうちの１つまたは複数を標識情報とすることができ、つまり、上記３つの情報のうちの１つまたは複数を組み合わせることにより、ユーザーは標識情報に対応する衣類がどの衣類であるかを確認することできる。ここで、衣類画像情報が最も直観的であり、本実施例は、衣類画像情報を標識情報とすることができ、ユーザーは、衣類画像を見ればどの衣類であるかを識別することができる。
【００２７】
関連情報は、標識情報（つまり、少なくとも衣類画像情報、衣類名称情報、および衣類ブランド情報のうちの１つまたは複数を含む）に加え、衣類カテゴリ情報、衣類重量情報、衣類材質情報、衣類カラー情報のうちの１つまたは複数を更に含んでもよい。本実施例において、関連情報は、衣類画像情報、衣類名称情報、衣類カテゴリ情報、衣類重量情報、衣類材質情報、および衣類カラー情報を含んでもよい。
【００２８】
オプションとして、本実施例において、洗濯機の表示パネルにより各洗濯物の標識情報を表示することができ、標識情報が衣類画像情報である場合、洗濯機の表示パネルは、画像形式で衣類画像情報、すなわち衣類画像を表示し、衣類画像が線画または彩色レンダリング画像等であってもよい。これに加え、他の実施例において、音声放送により各洗濯物の標識情報を表示してもよい。音声放送方式は文字形式で表現可能な標識情報、例えば、衣類名称情報、衣類ブランド情報等に対応する。
【００２９】
オプションとして、本実施例において、洗濯機の表示パネルに、各洗濯物の標識情報に対応して削除ボタンを設置、ユーザーが削除ボタンを押すと、処理モジュールが削除選択情報を送信し、送信される削除選択情報が選択された衣類に指向するようにしてもよく、または、標識情報をなぞるまたはクリックするような接触ジェスチャを予め設定し、ユーザーの指先が標識情報をなぞるまたはクリックすると、処理モジュールが削除選択情報を送信し、送信される削除選択情報も選択された衣類に指向するようにしてもよい。各洗濯物の標識情報を音声放送する時に、該洗濯物を削除するか否かを照会し、予定の音声命令（例えば、「削除」というキーワード）を受信すると、削除選択情報を送信し、送信される削除選択情報も選択された衣類に指向するようにしてもよい。もちろん、本開示は、上記複数種のマンマシンインタフェースモードのうちの１種または複数種を組み合わせる方式で、ユーザーに選択機能を提供し、対応的に処理することができる。
【００３０】
オプションとして、本実施例において、洗濯機の表示パネルに確認ボタンを設置し、ユーザーが確認ボタンを押すと、処理モジュールは確認情報を送信するようにしてもよく、または、各洗濯物の標識情報を音声放送した後に確認するか否かを照会し、予定の音声命令（例えば、「確認」というキーワード）を受信すると、確認情報を送信するようにしてもよい。もちろん、本開示は、上記複数種のマンマシンインタフェースモードのうちの１種または複数種を組み合わせる方式で、ユーザーに選択機能を提供し、対応的に処理することができる。
【００３１】
オプションとして、修正工程において、削除された洗濯物をリサイクルビンに置き、復元情報を受信することができ、復元情報を受信すると、削除された洗濯物を洗濯物集合に復元する。復元ボタンの設置、音声照会等の方式により、ユーザーに選択機能を提供することができる。
【００３２】
オプションとして、標識情報を表示すると同時に、または標識情報を表示する前に、現在の洗濯物集合における洗濯物の数を表示してもよく、数が正確であれば、ユーザーは、読取り誤る衣類がないと直接判定することができ、標識情報を再び見る必要がない。洗濯物の数を表示する方式は標識情報の表示方式とマッチングすることができ、例えば、文字の形式で洗濯機の表示パネルに表示してもよく、音声放送で表示してもよい。
【００３３】
以下のように、本実施例は、衣類画像情報を標識情報とし、標識情報をクリックすることにより削除選択情報をトリガし、確認ボタンをクリックすることにより確認情報をトリガすることを例とし、図１および図２を参照しながら、本実施例の洗濯機の制御方法を全面的に説明する。
【００３４】
Ｓ１、読み取り工程において、
ユーザーが衣類を洗濯機に投入している間に、ＲＦＩＤアンテナ１は信号を送信し、ＲＦＩＤタグ６は該信号を受信するとアクティブ化され、これによってＲＦＩＤタグ６は、別の周波数の信号（ＲＦＩＤタグ信号）を生成する。これにより、アクティブ化された各ＲＦＩＤタグ６、つまり、各洗濯物に以下のようなサブ工程を実行する。
【００３５】
Ｓ１．１、ＲＦＩＤアンテナ１は、該洗濯物のＲＦＩＤタグ信号を収集し、該ＲＦＩＤタグ信号をＲＦＩＤ読取装置５に伝送する。
【００３６】
Ｓ１．２、ＲＦＩＤ読取装置５は、ＲＦＩＤタグ信号に基づいてＲＦＩＤタグ６におけるＩＤ番号を読み取り、該ＩＤ番号を処理モジュール７に伝送する。
【００３７】
Ｓ１．３、処理モジュール７は、該ＩＤ番号をデータベース８に伝送する。
【００３８】
Ｓ１．４、データベース８は、洗濯物のＩＤ番号を受信して記憶された衣類のＩＤ番号とマッチングし、洗濯物のＩＤ番号に対応する衣類の関連情報を捜し当て、該関連情報を処理モジュール７に伝送する。
【００３９】
Ｓ１．５、処理モジュール７は、データベース８により転送される洗濯物の関連情報を受信する。
【００４０】
これまで、各ＲＦＩＤタグ６に対する上記工程Ｓ１．１〜Ｓ１．５の実行が終了すると、現在の洗濯物集合における各洗濯物の関連情報が処理モジュール７に戻された。
【００４１】
Ｓ２、フィードバック工程において、
洗濯機の表示パネル３に各洗濯物の衣類画像情報および洗濯物の数を表示し、並びに確認ボタンを表示する。洗濯機の表示パネル３に各洗濯物の標識情報および洗濯物の数を表示すると、ユーザーは、洗濯機に表示された衣類画像情報と投入された衣類と比較することができ、読取り誤ったことが発見される場合、衣類画像情報をクリックすることができる。誤りがないと検証された場合、確認ボタンをクリックする。
【００４２】
Ｓ３、修正工程において、
処理モジュール７は、削除選択情報を受信すると、現在の洗濯物集合から対応する洗濯物を削除し、該衣類画像情報が表示パネルから消えてリサイクルビンに配置される。正確な衣類画像情報を誤削除すれば、リサイクルビンに入って該衣類画像情報を取り戻すことができる。
【００４３】
Ｓ４、確認工程において、
確認情報を受信すると、現在の洗濯物集合における衣類が正確であることが証明されるため、現在の洗濯物集合における各洗濯物の関連情報を最終データとする。
【００４４】
Ｓ５、洗濯パラメータの決定工程において、
処理モジュール７は、上記最終データにより、水位、洗濯時間、すすぎ回数、脱水時間、加熱温度、回転時間と停止時間との比率、脱水回転数、洗濯回転数、浸漬時間、および洗剤投入量のうちの１つまたは複数を含む洗濯パラメータを算出する。
【００４５】
その後、洗濯することができる。
【００４６】
ここで、工程Ｓ１．１および工程Ｓ１．２におけるＲＦＩＤアンテナ１及びＲＦＩＤ読取装置５により、洗濯物のＲＦＩＤタグ６におけるＩＤ番号を読み取るためのＲＦＩＤ識別システム４を構成する。
【００４７】
ここで、工程Ｓ１．３において、データベース８は、洗濯機に設置される固有モジュールであってもよく、処理モジュール７は、データベース８内の記憶情報とマッチングするようにＩＤ番号を処理してからデータベース８に送ってもよい。ここで、処理モジュール７はプロセッサであってもよく、例えば、ＣＰＵである。図２を再び参照し、データベース８は、サーバまたはクラウドプラットフォーム１０に設置されてもよく、処理モジュール７は、無線モジュール９によりサーバまたはクラウドプラットフォーム１０にＩＤ番号を転送し、無線モジュール９によりサーバまたはクラウドプラットフォーム１０からフィードバックされる情報を受信する。上記２種の設置方式のうち、前者はオフライン方式を採用することができるが、後者は無線接続方式を採用しなければならず、両者は全て本実施例の洗濯機の制御方法に適用できることを理解できる。
【００４８】
実施例２
本実施例において、実施例１の洗濯機の制御方法を実現することができるＲＦＩＤ識別機能付きの洗濯機を提供する。該洗濯機は、ドラム式洗濯機であり、図３を参照し、ＲＦＩＤ識別システム４と、処理モジュール７と、表示モジュール１１と、情報受信端１２（削除情報受信端と確認情報受信端とを含む）とを備え、ＲＦＩＤ識別システム４が処理モジュール７に通信接続され、処理モジュール７が情報受信端１２、表示モジュール１１およびデータベース８に通信接続され、データベース８に衣類のＩＤ番号および該ＩＤ番号に対応する関連情報が予め記憶され、関連情報に対応の衣類を標識する標識情報が含まれる。ここで、ＲＦＩＤ識別システム４は、洗濯物のＲＦＩＤタグにおけるＩＤ番号を読み取り、処理モジュール７により洗濯物のＩＤ番号をデータベース８に伝送する。データベース８は、洗濯物のＩＤ番号を受信し、該ＩＤ番号を記憶された衣類のＩＤ番号とマッチングし、洗濯物のＩＤ番号に対応する衣類の関連情報を捜し当て、該関連情報を処理モジュール７に伝送する。処理モジュール７は、現在の洗濯物集合における各洗濯物の標識情報を表示するように表示モジュール１１を制御し、削除選択情報および確認情報を受信することができる。処理モジュール７は、情報受信端１２により削除選択情報を受信すると、現在の洗濯物集合から対応する洗濯物を削除し、処理モジュール７は、情報受信端１２により確認情報を受信すると、現在の洗濯物集合における各洗濯物の関連情報を最終データとする。ここで、削除選択情報は、ユーザーがある誤識別された衣類を削除する必要のある時に送信される情報であってもよく、確認情報は、ユーザーが現在の洗濯物集合における衣類に誤りのないことを確認する時に送信される情報であってもよく、最終データは、洗濯パラメータを決定することに用いられる。
【００４９】
これにより、本実施例の洗濯機は、洗濯物を識別した後、現在の洗濯物集合における衣類をユーザーに表示させ、ユーザーに誤識別された衣類を削除するチャンスを提供する。洗濯機内に投入されていない衣類（例えば、ユーザーが着ている衣類または洗濯機の周囲に積まれた衣類）を洗濯機内の衣類として識別した場合、ユーザーは、現在の洗濯物集合から誤識別された衣類を削除することができる。このように、ユーザー自らによる選択および確認の方式により、洗濯機の洗濯パラメータの正確性を更に向上させる。
【００５０】
オプションとして、本実施例において、図２を再び参照し、ＲＦＩＤ識別システム４は、通信接続されたＲＦＩＤアンテナ１及びＲＦＩＤ読取装置５を備える。ＲＦＩＤアンテナ１は信号を送信し、ＲＦＩＤタグ６が該信号を受信するとアクティブ化され、これによってＲＦＩＤタグ６は、別の周波数の信号（ＲＦＩＤタグ信号）を生成する。ＲＦＩＤアンテナ１は、洗濯物のＲＦＩＤタグ信号を収集し、該ＲＦＩＤタグ信号をＲＦＩＤ読取装置５に伝送する。ＲＦＩＤ読取装置５は、ＲＦＩＤタグ信号によりＲＦＩＤタグ６におけるＩＤ番号を読み取り、該ＩＤ番号を処理モジュール７に伝送する。図４を参照し、処理モジュール７は、洗濯機の制御ボード１３に設置されてもよく、ＲＦＩＤアンテナ１が洗濯機のドアパッキン１４または図５に示す洗濯機のドア２の下に設置され、且つ、ＲＦＩＤアンテナ１が洗濯機のドアに向かう方向に指向され、ＲＦＩＤ読取装置５が洗濯機の制御ボード１３に集積され、または、ＲＦＩＤ読取装置５が洗濯機の制御ボード１３と別個に設置されてもよい。処理モジュール７は、洗濯機の制御ボード１３に設置されてもよい。
【００５１】
本実施例において、表示モジュール１１は、洗濯機の表示パネル３を採用してもよく、標識情報は、文字形式またはピクチャ形式で洗濯機の表示パネル３に表示される衣類画像情報、衣類名称情報および／または衣類ブランド情報であってもよい。本実施例において、衣類画像情報を標識情報とし、ユーザーは、衣類ピクチャを見ればどの衣類であるかを認識することができる。これに対応して、関連情報は、標識情報に加えて、衣類カテゴリ情報、衣類重量情報、衣類材質情報、衣類カラー情報、および衣類名称情報を更に含んでもよい。他の実施例において、表示モジュール１１は音声放送装置を採用してもよい。
【００５２】
オプションとして、洗濯機の表示パネル３に情報受信端１２（例えば、感熱または感圧素子）を設置してもよい。各洗濯物の標識情報に対応して削除ボタンを設置し、ユーザーが削除ボタンを押すと、処理モジュール７が削除選択情報を送信するようにしてもよく、または、標識情報をなぞるまたはクリックするような接触ジェスチャを予め設定し、ユーザーの指先が標識情報をなぞるまたはクリックすると、処理モジュール７が削除選択情報を送信するようにしてもよい。本開示は、複数種のマンマシンインタフェースモードによりユーザーに選択肢を提供し、対応的に処理することができる。例えば、洗濯機に音声受信端が備えた音声放送装置を設置してもよい。該音声受信端が情報受信端１２とされ、各洗濯物の標識情報を音声放送する時に、該洗濯物を削除するか否を照会し、処理モジュール７が予定の音声命令（例えば、「削除」というキーワード）を受信すると、削除選択情報を受信したと見なす。
【００５３】
オプションとして、処理モジュール７は、削除された洗濯物をリサイクルビンに配置し、復元情報を受信することができ、復元情報を受信すると、削除された洗濯物を洗濯物集合に復元する。ユーザー選択のために、復元ボタンを設置する方式や、音声で復元するか否かを照会する等の方式を提供することができる。
【００５４】
オプションとして、洗濯機の表示パネル３に確認ボタンを設置してもよく、ユーザーが確認ボタンを押すと、情報受信端は処理モジュール７に確認情報を伝送する。各洗濯物の標識情報を音声放送した後に確認するか否かを照会してもよく、処理モジュール７が予定の音声命令（例えば、「確認」というキーワード）を受信すると、確認情報を受信したと見なす。本開示は、上記複数種のマンマシンインタフェースモードにより、ユーザーに選択肢を提供し、対応的に処理することができる。
【００５５】
オプションとして、処理モジュール７は、さらに、表示モジュール１１が標識情報を表示すると同時に、または標識情報を表示する前に、現在の洗濯物集合における洗濯物の数を表示するように制御してもよい。数が正確であれば、ユーザーは、読取り誤った衣類がないと直接判定することができ、標識情報を再び見る必要がない。洗濯物の数を表示する方式は、標識情報の表示方式と合致することができ、例えば、文字形式で洗濯機の表示パネル３に表示してもよく、音声放送で表示してもよい。
【００５６】
また、図３および図４を参照し、データベース８が洗濯機の制御ボード１３に設置されてもよく、処理モジュール７は、データベース８内の記憶情報とマッチングするようにＩＤ番号を処理してからデータベース８に送ってもよい。または、図２を再び参照し、データベース７がサーバまたはクラウドプラットフォーム１０に設置され、処理モジュール７は、無線モジュール９によりサーバまたはクラウドプラットフォーム１０にＩＤ番号を転送し、無線モジュール９によりサーバまたはクラウドプラットフォーム１０からフィードバックされた情報を受信する。上記２種の設置方式のうち、前者はオフライン方式を採用することができるが、後者は無線接続方式を採用しなければならないことを理解できる。
【００５７】
上記ＲＦＩＤ識別機能付きの洗濯機は、実施例１における洗濯機の制御方法を実行することができ、ここではその実行工程を省略する。
【００５８】
実施例３
図５を参照し、本実施例は、洗濯機がパルセータ洗濯機であり、ＲＦＩＤアンテナ１が洗濯機の制御パネル１５における洗濯機の表示パネル３の下に設置され、且つ、ＲＦＩＤアンテナ１が洗濯槽１６内に向かって傾斜する点で実施例２と相違する。
【００５９】
本実施例は、上記方法を実行するためのコンピュータ実行可能命令が記憶されるコンピュータ可読記憶媒体を更に提供する。
【００６０】
本実施例は、非一時的コンピュータ可読記憶媒体に記憶されるコンピュータプログラムを含むコンピュータプログラム製品を更に提供し、前記コンピュータプログラムはプログラム命令を含み、前記プログラム命令がコンピュータに実行されると、前記コンピュータに上記いずれかの方法を実行させる。
【産業上の利用可能性】
【００６１】
本開示に係るＲＦＩＤ識別機能に基づく洗濯機の制御方法および洗濯機は、洗濯機内に投入されていない衣類を洗濯機内の衣類として識別した場合、ユーザーは、現在の洗濯物集合から誤識別された衣類を削除することができ、これにより、洗濯機の洗濯パラメータの正確性を向上させる。
【符号の説明】
【００６２】
１    ＲＦＩＤアンテナ
２    洗濯機のドア
３    洗濯機の表示パネル
４    ＲＦＩＤ識別システム
５    ＲＦＩＤ読取装置
６    ＲＦＩＤタグ
７    処理モジュール
８    データベース
９    無線モジュール
１０    サーバまたはクラウドプラットフォーム
１１    表示モジュール
１２    情報受信端
１３    洗濯機の制御ボード
１４    洗濯機のドアパッキン
１５    洗濯機の制御パネル
１６    洗濯槽
【図１】
2019519286.tif 000003
【図２】
2019519286.tif 000004
【図３】
2019519286.tif 000005
【図４】
2019519286.tif 000006
【図５】
2019519286.tif 000007
【国際調査報告】
2019519286.tif 000008
2019519286.tif 000009
2019519286.tif 000010
2019519286.tif 000011